【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
一方側が固定端子側として固定され、他方側が可動端子側として所定の変形領域で変形して、その変形量に応じて変化する力量で付勢する弾性と導電性を有する接点部材が、当該固定端子側の先端部分が導電性の電気取出部材に接続され、当該可動端子側の前記変形領域が可動変形して、当該可動端子側の先端部分が所定の接続対象物に当接し、当該接続対象物から電力を取り出す接点構造であって、前記接点部材の前記可動端子側の先端付近と前記固定端子側の先端付近が、導電性のバイパス導電部材で接続されていることを特徴とする接点構造。
【請求項２】
一方側が固定端子側として固定され、他方側が可動端子側として所定の変形領域で変形して、その変形量に応じて変化する力量で付勢する弾性と導電性を有する接点部材が、当該固定端子側の先端部分が導電性の電気取出部材に接続され、当該可動端子側の前記変形領域が可動変形して、当該可動端子側の先端部分が所定の接続対象物に当接し、当該接続対象物から電力を取り出す接点構造であって、前記接点部材の前記可動端子側の先端付近と前記固定端子側の先端付近が、導電性のバイパス導電部材で接続され、
内部に前記接点部材および前記接続対象物を収納する収納ケースの一面側に引き出し口が形成され、
前記接点部材の先端部または前記接点部材に接続された前記バイパス導電部材が、少なくとも接点部材が最も屈曲した状態から最大に伸張した状態においても移動が可能なるように前記引き出し口を介して引き出されていることを特徴とする接点構造。
【請求項３】
前記バイパス導電部材は、前記接点部材の前記可動端子側の先端付近であって、前記接続対象物との接続位置近傍の位置で当該接点部材に接続されていることを特徴とする請求項１または２に記載の接点構造。
【請求項４】
前記バイパス導電部材は、前記接点部材の前記固定端子側の先端付近であって、前記電気取出部材との接続位置近傍の位置で当該接点部材に接続されていることを特徴とする請求項１から請求項３のいずれかに記載の接点構造。
【請求項５】
前記接続対象物は、電池であることを特徴とする請求項１から請求項４のいずれかに記載の接点構造。
【請求項６】
前記接続対象物は、電池型ＡＣアダプター端末であることを特徴とする請求項１から請求項４のいずれかに記載の接点構造。
【請求項７】
前記接点部材は、導電性のコイルバネであることを特徴とする請求項１から請求項６のいずれかに記載の接点構造。
【請求項８】
電池収納部に収納されている電池または電池型ＡＣアダプター端末の電源を接点構造で取り出して動作する装置において、当該接点構造が、前記請求項１から請求項７のいずれかに記載の接点構造であることを特徴とする装置。
【請求項９】
電池収納部に収納されている電池または電池型ＡＣアダプター端末の電源を接点構造で取り出して動作する画像入力装置において、当該接点構造が、前記請求項１から請求項７のいずれかに記載の接点構造であることを特徴とする画像入力装置。
【手続補正２】
【補正対象書類名】明細書
【補正対象項目名】００１３
【補正方法】変更
【補正の内容】
【００１３】
請求項２記載の発明は、一方側が固定端子側として固定され、他方側が可動端子側として所定の変形領域で変形して、その変形量に応じて変化する力量で付勢する弾性と導電性を有する接点部材が、当該固定端子側の先端部分が導電性の電気取出部材に接続され、当該可動端子側の前記変形領域が可動変形して、当該可動端子側の先端部分が所定の接続対象物に当接し、当該接続対象物から電力を取り出す接点構造であって、前記接点部材の前記可動端子側の先端付近と前記固定端子側の先端付近が、導電性のバイパス導電部材で接続され、
内部に前記接点部材および前記接続対象物を収納する収納ケースの一面側に引き出し口が形成され、
前記接点部材の先端部または前記接点部材に接続された前記バイパス導電部材が、少なくとも接点部材が最も屈曲した状態から最大に伸張した状態においても移動が可能なるように前記引き出し口を介して引き出されていることにより、
接続対象物の近くから電力を取り出して、抵抗値を低減させ、接続対象物本来の電圧に近い電圧を安価に取り出すとともに、接点部材の可動端子側とバイパス導電部材との接続が外れても、接点部材の固定端子側から接続対象物の電力を確実に取り出して、安定性を向上させることができ、
特に、接点部材の伸縮に伴って、接点部材の先端部またはバイパス導電部材が引き出し口内をスムースに移動し、接点部材、バイパス導電部材およびバイパス導電部材と接点部材との接続部に負荷がかかることを防止し、接続対象物の出し入れ時に接触不良が発生することを防止することのできる接点構造を提供することを目的としている。
請求項３記載の発明は、バイパス導電部材を、接点部材の可動端子側の先端付近であって、接続対象物との接続位置近傍の位置で当該接点部材に接続することにより、接点部材による無駄な配線抵抗を削減し、導電性の高いバイパス導電部材をより一層有効利用して、接続対象物本来の電圧により一層近い電圧を安価に取り出すとともに、接点部材の可動端子側とバイパス導電部材の接続が外れても、接点部材の固定端子側から接続対象物の電力を確実に取り出して、安定性を向上させることのできる接点構造を提供することを目的としている。
【手続補正３】
【補正対象書類名】明細書
【補正対象項目名】００１４
【補正方法】変更
【補正の内容】
【００１４】
請求項４記載の発明は、バイパス導電部材を、接点部材の固定端子側の先端付近であって、電気取出部材との接続位置近傍の位置で当該接点部材に接続することにより、接点部材による無駄な配線抵抗を削減し、導電性の高いバイパス導電部材をより一層有効利用して、接続対象物本来の電圧により一層近い電圧を安価に取り出すとともに、接点部材の可動端子側とバイパス導電部材の接続が外れても、接点部材の固定端子側から接続対象物の電力を確実に取り出して、安定性を向上させることのできる接点構造を提供することを目的としている。
【手続補正４】
【補正対象書類名】明細書
【補正対象項目名】００１５
【補正方法】変更
【補正の内容】
【００１５】
請求項５記載の発明は、接続対象物を、電池とすることにより、電池本来の電圧により一層近い電圧を安価に取り出すとともに、接点部材の可動端子側とバイパス導電部材の接続が外れても、接点部材の固定端子側から電池の電力を確実に取り出して、安定性を向上させることのできる接点構造を提供することを目的としている。
【手続補正５】
【補正対象書類名】明細書
【補正対象項目名】００１６
【補正方法】変更
【補正の内容】
【００１６】
請求項６記載の発明は、接続対象物を、電池型ＡＣアダプター端末とすることにより、電池型ＡＣアダプター端末本来の電圧により一層近い電圧を安価に取り出すとともに、接点部材の可動端子側とバイパス導電部材の接続が外れても、接点部材の固定端子側から電池型ＡＣアダプターの電力を確実に取り出して、安定性を向上させることのできる接点構造を提供することを目的としている。
【手続補正６】
【補正対象書類名】明細書
【補正対象項目名】００１７
【補正方法】変更
【補正の内容】
【００１７】
請求項７記載の発明は、接点部材として、導電性のコイルバネを用いることにより、力量の安定したコイルバネで接続対象物を適切に付勢して安定した接触を確保するとともに、コイルバネの欠点である内部抵抗の問題をバイパス導電部材で解消しつつ、バイパス導電部材の接続の外れに対しても適切に対処して、安定した電力を行う接点構造を提供することを目的としている。
【手続補正７】
【補正対象書類名】明細書
【補正対象項目名】００１８
【補正方法】変更
【補正の内容】
【００１８】
請求項８記載の発明は、電池収納部に収納されている電池または電池型ＡＣアダプターの電源を接点構造で取り出して動作する装置において、当該接点構造を、請求項１から請求項６のいずれかに記載の接点構造とすることにより、電力の取り出しを安定かつ効率的に行い、電池寿命等を安定して長寿命化することのできる装置を提供することを目的としている。
【手続補正８】
【補正対象書類名】明細書
【補正対象項目名】００１９
【補正方法】変更
【補正の内容】
【００１９】
請求項９記載の発明は、電池収納部に収納されている電池または電池型ＡＣアダプターの電源を接点構造で取り出して動作するデジタルスチルカメラ等の画像入力装置において、当該接点構造を、請求項１から請求項６のいずれかに記載の接点構造とすることにより、電力の取り出しを安定かつ効率的に行い、電池寿命等を安定して長寿命化することのできる画像入力装置を提供することを目的としている。
【手続補正９】
【補正対象書類名】明細書
【補正対象項目名】００２１
【補正方法】変更
【補正の内容】
【００２１】
請求項２記載の発明の接点構造は、一方側が固定端子側として固定され、他方側が可動端子側として所定の変形領域で変形して、その変形量に応じて変化する力量で付勢する弾性と導電性を有する接点部材が、当該固定端子側の先端部分が導電性の電気取出部材に接続され、当該可動端子側の前記変形領域が可動変形して、当該可動端子側の先端部分が所定の接続対象物に当接し、当該接続対象物から電力を取り出す接点構造であって、前記接点部材の前記可動端子側の先端付近と前記固定端子側の先端付近が、導電性のバイパス導電部材で接続されており、内部に前記接点部材および前記接続対象物を収納する収納ケースの一面側に引き出し口が形成され、
前記接点部材の先端部または前記接点部材に接続された前記バイパス導電部材が、少なくとも接点部材が最も屈曲した状態から最大に伸張した状態においても移動が可能なるように前記引き出し口を介して引き出されていることにより、上記目的を達成している。
この場合、例えば、請求項３に記載するように、前記バイパス導電部材は、前記接点部材の前記可動端子側の先端付近であって、前記接続対象物との接続位置近傍の位置で当該接点部材に接続されているものであってもよい。
【手続補正１０】
【補正対象書類名】明細書
【補正対象項目名】００２２
【補正方法】変更
【補正の内容】
【００２２】
また、例えば、請求項４に記載するように、前記バイパス導電部材は、前記接点部材の前記固定端子側の先端付近であって、前記電気取出部材との接続位置近傍の位置で当該接点部材に接続されているものであってもよい。
【手続補正１１】
【補正対象書類名】明細書
【補正対象項目名】００２３
【補正方法】変更
【補正の内容】
【００２３】
さらに、例えば、請求項５に記載するように、前記接続対象物は、電池であってもよい。
【手続補正１２】
【補正対象書類名】明細書
【補正対象項目名】００２４
【補正方法】変更
【補正の内容】
【００２４】
また、例えば、請求項６に記載するように、前記接続対象は、電池型ＡＣアダプター端末であってもよい。
【手続補正１３】
【補正対象書類名】明細書
【補正対象項目名】００２５
【補正方法】変更
【補正の内容】
【００２５】
さらに、例えば、請求項７に記載するように、前記接点部材は、導電性のコイルバネであってもよい。
【手続補正１４】
【補正対象書類名】明細書
【補正対象項目名】００２６
【補正方法】変更
【補正の内容】
【００２６】
請求項８記載の装置及び請求項９記載の画像入力装置は、電池収納部に収納されている電池または電池型ＡＣアダプター端末の電源を接点構造で取り出して動作し、当該接点構造が、前記請求項１から請求項７のいずれかに記載の接点構造であることにより、上記目的を達成している。
【手続補正１５】
【補正対象書類名】明細書
【補正対象項目名】００２８
【補正方法】変更
【補正の内容】
【００２８】
請求項２記載の発明の接点構造によれば、
一方側が固定端子側として固定され、他方側が可動端子側として所定の変形領域で変形して、その変形量に応じて変化する力量で付勢する弾性と導電性を有する接点部材が、当該固定端子側の先端部分が導電性の電気取出部材に接続され、当該可動端子側の前記変形領域が可動変形して、当該可動端子側の先端部分が所定の接続対象物に当接し、当該接続対象物から電力を取り出す接点構造であって、前記接点部材の前記可動端子側の先端付近と前記固定端子側の先端付近が、導電性のバイパス導電部材で接続され、
内部に前記接点部材および前記接続対象物を収納する収納ケースの一面側に引き出し口が形成され、
前記接点部材の先端部または前記接点部材に接続された前記バイパス導電部材が、少なくとも接点部材が最も屈曲した状態から最大に伸張した状態においても移動が可能なるように前記引き出し口を介して引き出されていることにより、
接続対象物の近くから電力を取り出して、抵抗値を低減させ、接続対象物本来の電圧に近い電圧を安価に取り出すとともに、接点部材の可動端子側とバイパス導電部材との接続が外れても、接点部材の固定端子側から接続対象物の電力を確実に取り出して、安定性を向上させることができ、
特に、接点部材の伸縮に伴って、接点部材の先端部またはバイパス導電部材が引き出し口内をスムースに移動し、接点部材、バイパス導電部材およびバイパス導電部材と接点部材との接続部に負荷がかかることを防止し、接続対象物の出し入れ時に接触不良が発生することを防止することができる。
請求項３記載の発明の接点構造によれば、バイパス導電部材を、接点部材の可動端子側の先端付近であって、接続対象物との接続位置近傍の位置で当該接点部材に接続しているので、接点部材による無駄な配線抵抗を削減することができ、導電性の高いバイパス導電部材をより一層有効利用して、接続対象物本来の電圧により一層近い電圧を安価に取り出すことができるとともに、接点部材の可動端子側とバイパス導電部材の接続が外れても、接点部材の固定端子側から接続対象物の電力を確実に取り出して、安定性を向上させることができる。
【手続補正１６】
【補正対象書類名】明細書
【補正対象項目名】００２９
【補正方法】変更
【補正の内容】
【００２９】
請求項４記載の発明の接点構造によれば、バイパス導電部材を、接点部材の固定端子側の先端付近であって、電気取出部材との接続位置近傍の位置で当該接点部材に接続するので、接点部材による無駄な配線抵抗を削減することができ、導電性の高いバイパス導電部材をより一層有効利用して、接続対象物本来の電圧により一層近い電圧を安価に取り出すことができるとともに、接点部材の可動端子側とバイパス導電部材の接続が外れても、接点部材の固定端子側から接続対象物の電力を確実に取り出して、安定性を向上させることができる。
【手続補正１７】
【補正対象書類名】明細書
【補正対象項目名】００３０
【補正方法】変更
【補正の内容】
【００３０】
請求項５記載の発明の接点構造によれば、接続対象物を、電池としているので、電池本来の電圧により一層近い電圧を安価に取り出すことができるとともに、接点部材の可動端子側とバイパス導電部材の接続が外れても、接点部材の固定端子側から電池の電力を確実に取り出して、安定性を向上させることができる。
【手続補正１８】
【補正対象書類名】明細書
【補正対象項目名】００３１
【補正方法】変更
【補正の内容】
【００３１】
請求項６記載の発明の接点構造によれば、接続対象物を、電池型ＡＣアダプター端末としているので、電池型ＡＣアダプター端末本来の電圧により一層近い電圧を安価に取り出すことができるとともに、接点部材の可動端子側とバイパス導電部材の接続が外れても、接点部材の固定端子側から電池型ＡＣアダプター端末の電力を確実に取り出して、安定性を向上させることができる。
【手続補正１９】
【補正対象書類名】明細書
【補正対象項目名】００３２
【補正方法】変更
【補正の内容】
【００３２】
請求項７記載の発明の接点構造によれば、接点部材として、導電性のコイルバネを用いているので、力量の安定したコイルバネで接続対象物を適切に付勢して安定した接触を確保することができるとともに、コイルバネの欠点である内部抵抗の問題をバイパス導電部材で解消しつつ、バイパス導電部材の接続の外れに対しても適切に対処して、安定した電力を行うことができる。
【手続補正２０】
【補正対象書類名】明細書
【補正対象項目名】００３３
【補正方法】変更
【補正の内容】
【００３３】
請求項８記載の発明の装置によれば、電池収納部に収納されている電池または電池型ＡＣアダプター端末の電源を接点構造で取り出して当該電池電源で動作する装置において、当該接点構造を、請求項１から請求項７のいずれかに記載の接点構造としているので、電力の取り出しを安定かつ効率的に行うことができ、電池寿命等を安定して長寿命化することができる。
【手続補正２１】
【補正対象書類名】明細書
【補正対象項目名】００３４
【補正方法】変更
【補正の内容】
【００３４】
請求項９記載の発明の画像入力装置によれば、電池収納部に収納されている電池または電池型ＡＣアダプター端末の電源を接点構造で取り出して当該電池電源で動作するデジタルスチルカメラ等の画像入力装置において、当該接点構造を、請求項１から請求項７のいずれかに記載の接点構造としているので、電力の取り出しを安定かつ効率的に行うことができ、電池寿命等を安定して長寿命化することができる。